(57)【要約】【課題】ハリスが外れ難い一方で糸の絡まりが少なく、ハリスそのものの取り付け等を簡便に行うことができるハリス止め具を提供する。【解決手段】幹糸等を通すための通し孔を有する胴体部とハリスを掛止するための掛止部とを備えた釣用ハリス止め具であって、前記掛止部には、前記ハリスの端部を挿入するための開口を備えた誘導路と、前記挿入された前記ハリスの端部が抜け出す開口とが設けられ、前記ハリスの端部が抜け出す開口のうち、前記胴体部から最も遠い位置から前記ハリスの端部を挿入するための開口へ向かって、前記誘導路と連通するスリットが切り込まれ、前記スリットの長さは、前記スリットの、前記ハリスの端部を挿入するための開口側の端部から前記誘導路までの距離（ハリスの掛かり長さ）よりも長くなるように構成されたことを特徴とするハリス止め具。【選択図】図１
2014068622.tif 000002
【特許請求の範囲】
【請求項１】
幹糸等を通すための通し孔を有する胴体部とハリスを掛止するための掛止部とを備えた釣用ハリス止め具であって、
前記掛止部には、前記ハリスの端部を挿入するための開口を備えた誘導路と、前記挿入された前記ハリスの端部が抜け出す開口とが設けられ、
前記ハリスの端部が抜け出す開口のうち、前記胴体部から最も遠い位置から前記ハリスの端部を挿入するための開口へ向かって、前記誘導路と連通するスリットが切り込まれ、
前記スリットの長さは、前記スリットの、前記ハリスの端部を挿入するための開口側の端部から前記誘導路までの距離（ハリスの掛かり長さ）よりも長くなるように構成された
ことを特徴とするハリス止め具。
【請求項２】
幹糸等を通すための通し孔を有する胴体部と、前記胴体部の中央部より前記通し穴と略垂直に突設されたハリスを掛止するための掛止部とを備えた釣用ハリス止め具であって、
前記掛止部の先端面に設けられた前記ハリスの端部を挿入するための挿入口と、
前記挿入口と連通し、前記掛止部の上面開口を伴って設けられた第１誘導路と、
前記掛止部の前記胴体部との連接部分と前記第１誘導路との間に設けられた、前記掛止部を上下に貫通する第２誘導路と、
第２誘導路の内側面のうち、前記胴体部から最も遠くなる位置から前記通し孔を含む平面に沿って、前記挿入口と前記第１誘導路との連通面に達するまで設けられたスリットと
を備え、
前記スリットの、第２誘導路の内側面のうち前記胴体部から最も遠くなる位置から前記挿入口と前記第１誘導路との連通面までの長さは、前記挿入口と前記第１誘導路との連通面に沿った前記スリット端部のハリスの掛かり長さよりも長くなるように構成された
ことを特徴とするハリス止め具。
【発明の詳細な説明】
【技術分野】
【０００１】
本発明は、釣糸止め具及び釣糸止め構造に関し、より具体的には、幹糸ないし道糸（以下、「幹糸等」という。）に対し枝ハリス（以下、「ハリス」という。）を付け外し可能なハリス止め具に関する。
【背景技術】
【０００２】
従来、釣用の仕掛けを作る際に、幹糸等にハリスを連結するためには、幹糸等とハリスとを直接縛ったり、サルカンと呼ばれる金属製の環を介して連結したりしていたが、ハリスが絡み易いという課題や、幹糸等及びハリスそれぞれを環にしっかりと結び付けなければならないといった課題があり、いわゆる「ハリス止め具」と呼ばれる連結具が提案されるようになった。
【０００３】
従来のハリス止め具（例えば、特許文献１）の外観は、凡そ図１３に示す通りである。図に示すハリス止め具１３００は、幹糸等を通すビーズ１３１０と、このビーズに取り付けられるハリス止め部材１３０９とからなる。ハリス止め部材１３０９は、弾性を備えた線材を折り曲げ加工して形成され、この線材を２つに折り重ねてその折角を先端部とすると、この先端部がハリス挟み止め部１３０５となり、両側辺１３０２、１３０３の中間部を略半円形状に曲げ出された部分がハリスの導入口１３０６となり、線材の両端部を略半円形状に曲げ出された環状部が幹糸等への環状取り付け部１３０８となる。そして、この環状取り付け部１３０８を包み込むように硬質合成樹脂材等でビーズ１３１０を形成し、このビーズ１３１０に対して環状取り付け部１３０８の中を通る幹糸等通し孔１３１１を貫設してハリス止め具１３００は完成する。
【０００４】
このようなハリス止め具１３００を用いれば、まず第１に、幹糸等通し孔１３１１に幹糸１３０７を通してからその上下に通し孔１３１１の孔径よりも大きくなる結びコブ１３１３及び１３１４を作ることにより、ビーズ１３１０の上下動を防止することができ、第２に、端部に結びコブを作ったハリス１３０４を導入口１３０６に挿通してからこの端部をハリス挟み止め部１３０５の先端部まで引き込むことにより、ハリス１３０４は両側辺１３０２、１３０３から抜けない様に挟持され、簡便にハリスを幹糸等に連結することが可能になるうえ、さらには、幹糸等を軸とする回転の方向には回転自在であってハリスを軸とする回転の方向には回転し難いという特徴を有するハリス止めを提供することができる。
【０００５】
ところが、特許文献１に開示されたハリス止め具ではハリスを繰り返し付け外すとハリス挟み止め部１３０５を形成する線材間が広がるなどして挟持したハリスが外れてしまいやすくなり、仮に硬度の高い線材を使用した場合には付け外しが困難になる等の課題が指摘され、これら課題を解決するハリス止め具が提案されるに至った（特許文献２）。
【０００６】
特許文献２に開示されたハリス止め具は、第１釣糸（幹糸等）がつながれる止め具本体と、弾性線材を少なくとも１回半巻回してコイル状に形成された釣糸掛止部とを備え、該釣糸掛止部を成す弾性線材の一端部を前記止め具本体に連結するとともに、釣糸掛止部における隣り合った弾性線材間で、結びコブ付きの第２釣糸（ハリス）を掛止する構成としたことを特徴としている。
【０００７】
特許文献２に開示されたハリス止め具によれば、コイル状に形成された釣糸掛止部の隣り合った弾性線材間に、コイル周方向に沿って第２釣糸（ハリス）が挿入され、コイル状の釣糸掛止部の内周面で第２釣糸（ハリス）のコブ部が掛止されるので、弾性線材間への第２釣糸の挿脱が容易であり、第２釣糸の掛止を確実に行なうことができるものとされている。
【先行技術文献】
【特許文献】
【０００８】
【特許文献１】特開２００１−１９７８５４号公報
【特許文献２】特開２００７−１８９９６７号公報
【発明の概要】
【発明が解決しようとする課題】
【０００９】
しかしながら、特許文献１や特許文献２に開示されたハリス止め具であっても、釣る魚によっては、魚が暴れるとハリスが外れやすいという課題があった。例えば、カワハギはフグ目・カワハギ科に分類される美味な食用魚で釣人にも人気があるが、丈夫な皮に覆われて全長は最大で３０ｃｍほどにもなり、小さい口ながら頑丈な歯を持ち、竿の引きも強く、針に掛かかると海面方向（上方）にも元気に暴れて勢いハリス止め具からハリスが外れて逃してしまうといった課題があった。一方で、特許文献２にも示唆されているように、釣糸掛止部の弾性線材を１回半の巻き回数を超えてコイル状に巻回した構成を採用し、ハリスを内周方向へ１回転を超えて移動させて掛止した場合には、ハリスが外れにくくなる反面、ハリスの取り付け及び取り外しが煩雑になってしまう。
【００１０】
また、特許文献１や特許文献２に開示されたハリス止め具は、ハリスの掛止部材が金属で出来ており、ハリスや幹糸等が絡まりやすいという課題もあった。
【課題を解決するための手段】
【００１１】
本発明は、幹糸等を通すための通し孔を有する胴体部とハリスを掛止するための掛止部とを備えた釣用ハリス止め具であって、前記掛止部には、前記ハリスの端部を挿入するための開口を備えた誘導路と、前記挿入された前記ハリスの端部が抜け出す開口とが設けられ、前記ハリスの端部が抜け出す開口のうち、前記胴体部から最も遠い位置から前記ハリスの端部を挿入するための開口へ向かって、前記誘導路と連通するスリットが切り込まれ、前記スリットの長さは、前記スリットの、前記ハリスの端部を挿入するための開口側の端部から前記誘導路までの距離（ハリスの掛かり長さ）よりも長くなるように構成されたことを特徴とする。
【００１２】
また、本発明は、幹糸等を通すための通し孔を有する胴体部と、前記胴体部の中央部より前記通し穴と略垂直に突設されたハリスを掛止するための掛止部とを備えた釣用ハリス止め具であって、前記掛止部の先端面に設けられた前記ハリスの端部を挿入するための挿入口と、前記挿入口と連通し、前記掛止部の上面開口を伴って設けられた第１誘導路と、前記掛止部の前記胴体部との連接部分と前記第１誘導路との間に設けられた、前記掛止部を上下に貫通する第２誘導路と、第２誘導路の内側面のうち、前記胴体部から最も遠くなる位置から前記通し孔を含む平面に沿って、前記挿入口と前記第１誘導路との連通面に達するまで設けられたスリットとを備え、前記スリットの、第２誘導路の内側面のうち前記胴体部から最も遠くなる位置から前記挿入口と前記第１誘導路との連通面までの長さは、前記挿入口と前記第１誘導路との連通面に沿った前記スリット端部のハリスの掛かり長さよりも長くなるように構成されたことを特徴とする。
【発明の効果】
【００１３】
本発明により、魚が掛かった場合にハリスが外れ難い一方で糸の絡まりが少なく、ハリスそのものの取り付け及び取り外しを簡便に行うことができるハリス止め具を提供することができる。
【図面の簡単な説明】
【００１４】
【図１】本発明の一実施形態に係るハリス止め具の外観構成を説明する外観斜視透視図である。
【図２】本発明の一実施形態に係るハリス止め具の上面を説明する上面透視図である。
【図３】本発明の一実施形態に係るハリス止め具の側面を説明する側面透視図である。
【図４】本発明の一実施形態に係るハリス止め具の正面を説明する正面透視図である。
【図５】図２に示した本発明の一実施形態に係るハリス止め具のＡ−Ａ線での断面を説明する断面図である。
【図６】本発明の一実施形態に係るハリス止め具にハリスを掛止する手順を説明する説明図である。
【図７】本発明の一実施形態に係るハリス止め具にハリスが掛止された様子を説明する外観斜視透視図である。
【図８】本発明の一実施形態に係るハリス止め具を使用した仕掛けの例を説明する説明図である。
【図９】本発明の他の実施形態に係るハリス止め具の側面を説明する側面透視図である。
【図１０】図９に示した本発明の他の実施形態に係るハリス止め具のＢ−Ｂ線での断面を説明する断面図である。
【図１１】本発明の他の実施形態に係るハリス止め具の上面を説明する上面透視図である。
【図１２】図１１に示した本発明の他の実施形態に係るハリス止め具のＣ−Ｃ線での断面を説明する断面図である。
【図１３】従来のハリス止め具の外観構成を説明する外観斜視図である。
【発明を実施するための形態】
【００１５】
本発明に係るハリス止め具及びその実施例について、図面を参照しながら説明する。
【実施例１】
【００１６】
図１に、本発明の一実施形態に係るハリス止め具の外観構成を示す。図において、ハリス止め具１００は、大別して、胴体部１０１とハリス掛止部１０２とからなり、図に示す通り、胴体部１０１の上下を貫通する幹糸等通し孔１０１１には幹糸９が通されている。
【００１７】
図１において、ハリス掛止部１０２は、胴体部１０１の中央部から幹糸等通し孔１０１１に対し略垂直に突設されてなり、その先端面には挿入口１０２１が設けられている。挿入口１０２１は、ハリス掛止部１０２の先端面より略円形状の開口と所定の深さとを伴って設けられ、第１誘導路１０２２と連通している。第１誘導路１０２２は、ハリス掛止部１０２の上面から矩形状の開口を伴って設けられた開放穴である。
【００１８】
また、ハリス掛止部１０２の胴体部１０１との連接部分と、第１誘導路１０２２との間には、ハリス掛止部１０２を上下に貫通する第２誘導路１０２３が貫設されている。
【００１９】
そして、図１に示す通り、第２誘導路１０２３の内側面上の線分のうち、胴体部１０１から最も遠くなる線分位置から、幹糸等通し孔１０１１を含む平面に沿って、挿入口１０２１と第１誘導路１０２２との連通面に達するまで、スリット１０２４が設けられている。このスリット１０２４により、第１誘導路１０２２と第２誘導路１０２３とは、スリット幅の空隙で連通する。さらに、第１誘導路１０２２の底部（開口と反対の底面）にもスリット１０２４が切り込まれることとなり、第１誘導路１０２２の底部からハリス掛止部１０２の底部まで、スリット幅の空隙で貫通された状態となる。
【００２０】
スリット１０２４の幅は、使用されるハリスの太さよりもやや狭く（ハリス自体を挟持できるほどの狭さに）設計される。一例として、カワハギ釣りでは、一般に２〜４号ハリスが使用されることが多く、これを対象として製造する場合には、２〜４号ハリスの太さ（０．２３５〜０．３３０ｍｍ）を挟持できる程度の幅に設計される。なお、ハリスに結びコブを作った場合には、この結びコブがスリット１０２４をすり抜けることはできない程のスリット幅である。
【００２１】
また、本発明に係るハリス止め具は、金型により樹脂成型して製作される。樹脂成型により製作されたハリス止め具により、上記スリット幅で成型されたスリットは絶妙な挟持力を以ってハリスを挟持することができる。なお、本発明に係るハリス止め具は、自動落下成型品として成型することができる。
【００２２】
図２は、本発明の一実施形態に係るハリス止め具１００の上面を説明する上面透視図である。第２誘導路１０２３の内側面上の線分のうち、胴体部１０１から最も遠くなる線分位置から、幹糸等通し孔１０１１を含む平面に沿って、挿入口１０２１と第１誘導路１０２２との連通面に達するまで切り込まれたスリット１０２４が、第１誘導路１０２２の底部（開口と反対の底面）にまで及び、第１誘導路の底部からハリス掛止部１０２の底部まで、スリットの幅の空隙で貫通されている様子が確認できる。
【００２３】
図２において、胴体部１０１の径の長さ（以下、径という。）はＷ1であり、幹糸等通し孔１０１１の径はφ1である。また、ハリス掛止部１０２に貫設された第２誘導路１０２３の径はφ2であり、ハリス掛止部１０２の先端部の横幅はＷ2であり、ハリス掛止部１０２の先端面に設けられた挿入口１０２１の径はφ3である。また、ハリス掛止部１０２の根元部分は、第２誘導路１０２３によって生じた空洞に対する強度を高めるため、Ｗ2よりも太めのＷ3に設計されている。
【００２４】
図３は、本発明の一実施形態に係るハリス止め具の側面を説明する側面透視図である。図２と重複する部分又は長さについては説明を割愛する。図３において、胴体部１０１の高さは、Ｈ1＋Ｈ2であり、ハリス掛止部１０２の高さは、Ｈ3＋Ｈ4である。そして、胴体部１０１の底部からＨ2＋Ｈ5（或いは、ハリス掛止部１０２の底部からＨ4＋Ｈ5）の高さに挿入口１０２１の中心軸が一致するように設計される。挿入口１０２１の長さ（開口からみた深さ）はＬ1であり、挿入口１０２１と連通する第１誘導路１０２２の上部開口の一辺（挿入口１０２１の深さ方向に沿う一辺）の長さはＬ2である。
【００２５】
図３に示される通り、第１誘導路１０２２の底部の一辺（挿入口１０２１の深さ方向に沿う一辺）の長さはＬ2よりも短く設計することにより、第１誘導路１０２２の胴体部１０１側の内側面には傾斜が形成されることとなり、ハリスを通すときに第１誘導路１０２２の上部開口へ容易に案内される（ハリスの通し方については、後述）。
【００２６】
図３において、ハリス掛止部１０２の先端面から胴体部１０１との連接部までの長さはＬ3であり、ハリス掛止部１０２の先端面から胴体部１０１の中心軸までの長さはＬ4である。
【００２７】
図４は、本発明の一実施形態に係るハリス止め具の正面を説明する正面透視図である。図２、３と重複する部分又は長さについては説明を割愛する。図３にも現れているが、図４において、挿入口１０２１の中心軸は、ハリス掛止部１０２の底部からＨ4＋Ｈ5の高さに一致するよう設計されており、この中心軸は、ハリス掛止部１０２の断面重心の高さよりも高くなるよう設計されている。すなわち、Ｈ4＋Ｈ5＞（Ｈ3＋Ｈ4）／２（或いは、Ｈ4＞（Ｈ3−２＊Ｈ5））となる。
このように設計することにより、後述する通り、ハリスを掛止した場合のハリス掛かり長さ（挿入口１０２１と第１誘導路１０２２との連通面に沿ったスリット端部のハリスの掛かり長さであって、図中、Ｈ4の部分）を多く取ることができ、ハリスをしっかりと挟み込んで外れにくい構造を実現することができる。
【００２８】
図５は、図２に示した本発明の一実施形態に係るハリス止め具のＡ−Ａ線での断面図である。図５において、ハリス掛止部１０２の底部に切り込まれたスリットの長さ（第２誘導路１０２３の内側面上の線分のうち、胴体部１０１から最も遠くなる線分位置から、幹糸等通し孔１０１１を含む平面に沿って、挿入口１０２１と第１誘導路１０２２との連通面に達するまでの長さ）をＬ5とすると、Ｌ5は、ハリスを掛止した場合のハリス掛かり長さＨ4よりも長く設計されている。すなわち、Ｌ5＞Ｈ4とすることにより、掛止されたハリスが掛かり長さＨ4よりも長いＬ5をスライドして外れることは容易でないため、ハリスが外れにくい構造が実現されている。
【００２９】
以上述べた通り、本発明の一実施形態に係るハリス止め具の各寸法を変数で表したが、各変数に対応する具体的な寸法例について、最も好適な例を以下に示す。単位はｍｍである。下表の各寸法によって決まる長短の関係については、一部例を挙げて上述したように、全て設計上の意味を有する。
【表１】
2014068622.tif 000003
なお、スリット幅は、０．２５（ｍｍ）とした。
【００３０】
図６に、本発明の一実施形態に係るハリス止め具にハリスを掛止する手順を示す。まず、図６（ａ）において、ハリス６の端部を挿入口１０２１内へ進入させる。ハリス６の端部は挿入口１０２１を通過し、第１誘導路１０２２の傾斜面に当たって上部へ誘導され、いったん第１誘導路１０２２の上部開口からハリス掛止部１０２の外部へ出る（図６（ｂ））。なお、第１誘導路１０２２の傾斜面に当たった場合、当該傾斜面に切り込まれたスリット幅はハリス６の太さと同程度か、やや狭く設計されているので、ハリス６の端部がスリットの中に入ってしまう事態は滅多に生じない。
【００３１】
次に、図６（ｃ）において、ハリス６の端部を第２誘導路１０２３の上部開口から再びハリス掛止部１０２内へ進入させる。ハリス６の端部は第２誘導路１０２３を上部から下部へ通過し、第２誘導路１０２３の下部開口からハリス掛止部１０２の外部へ出る（図６（ｄ））。
【００３２】
次に、ハリス６の端部に結びコブ６１を作り、第２誘導路１０２３下部のスリット１０２４上を、挿入口１０２１と第１誘導路１０２２との連通面に向かってスライドさせる（図６（ｅ））。
【００３３】
結びコブ６１を有するハリス６が挿入口１０２１と第１誘導路１０２２との連通面付近まで到達したら、ハリス６を挿入口１０２１側から引っ張り結びコブ６１を連通面まで一杯に引き寄せ、結びコブから伸びる余りのハリスを短く切るなどしてハリスの掛止は完了する。
【００３４】
なお、図６に示した手順では図６（ｅ）において結びコブ６１を作ったが、本発明はこの手順に限定されるものではない。例えば、ハリスの先端がやや細く、スリットの中に入ってしまいやすい場合には、予め結びコブを作っておくと良い。
【００３５】
また、ハリス６を本発明に係るハリス止め具から取り外す場合には、結びコブ６１を少し引っ張って結びコブの根元部分をハサミなどで切断し、挿入口１０２１からハリス引っ張ってやると簡単にハリスを取り外すことができる。
【００３６】
さらに、結びコブ６１を付けたままハリス６を取り外す場合には、結びコブ６１を引っ張ってスリット上を第２誘導路１０２３の下部開口までスライドさせ、ハリス先端の針の先や細い棒等を使いスリットに沿って結びコブ６１を押し出すように第２誘導路１０２３の上部開口まで移動させてやれば、あとは挿入口１０２１からハリス引っ張るなどしてハリス６を取り外すことができる。
【００３７】
図７に、本発明の一実施形態に係るハリス止め具にハリスが掛止された様子を示す。結びコブを有するハリス端部が、挿入口と第１誘導路との連通面までしっかりと引き寄せられ、スライド溝に挟持されたハリスは容易なことでは外れない。
【００３８】
図８に、本発明の一実施形態に係るハリス止め具を使用した仕掛けの例を示す。図８において、仕掛け８００は、幹糸８１が通され、各々ハリスが掛止されたハリス止め具１００ａ、１００ｂ、１００ｃを有し、幹糸８１の先端部には錘８３が取り付けられている。また、ハリス止め具１００ａを通る幹糸８１の上下には幹糸通し孔よりも大きい結びコブ８２ａ及び８２ｂが作られハリス止め具１００ａが上下に移動してしまうのを防止している。同様の目的で、ハリス止め具１００ｂの上下には結びコブ８２ｃ及び８２ｄが作られ、ハリス止め具１００ｃの上下には結びコブ８２ｅ及び８２ｆが作られている。
【００３９】
なお、仕掛けの例は、図８に示した例に限定されるものではなく、釣りの目的に応じた様々な仕掛けに本発明に係るハリス止め具を採用することができる。例えば、本発明に係るハリス止め具は、後述する他のバリエーションのものも含め、ハリスのみならず、イカ釣り用の針であるイカツノを掛止するのにも適しており、この場合には、本発明に係るハリス止め具を使ってイカ釣り用の仕掛けを作ることもできる。
その他にも、本発明に係るハリス止め具は、メバルやアジなどの小物と呼ばれる魚釣りにも広く使用することができ、サビキを含めた他の仕掛けに採用することもできる。
【００４０】
次に、本発明の他の実施例に係るハリス止め具について説明する。以下に説明する他の実施例は、上述したハリス止め具と共通する本質的特徴を備えた本発明のバリエーションである。
【実施例２】
【００４１】
図９は、本発明の他の実施形態に係るハリス止め具の側面を説明する側面透視図である。ハリス止め具９００は、胴体部９０１とハリス掛止部９０２とを有するが、挿入口を開口部とした第１誘導路９０２２と、ハリス掛止部９０２において胴体部９０１と略垂直になるよう設けられた第２誘導路９０２３とを有する点がハリス止め具１００と大きく異なる点である。図９に示されるように、ハリス掛止部９０２の左右側面には、第２誘導路９０２３の内側面上の線分のうち、胴体部９０１から最も遠くなる線分位置から、幹糸等通し孔と垂直に交わる平面に沿って、第１誘導路９０２２の開口部付近までスリット９０２４が設けられている。
【００４２】
図１０は、図９に示した本発明の他の実施形態に係るハリス止め具のＢ−Ｂ線での断面を説明する断面図である。図１０において、ハリス止め具１００と異なるもう一つの特徴は、第１誘導路９０２２の開口部から第２誘導路９０２３へ向かった突き当たりに、進入したハリスを左右に振り分けるための振り分け突起９０２５が設けられている点である。
【００４３】
このように、振り分け突起９０２５を設けることによって、第１誘導路９０２２の開口部から進入したハリスは、進入路奥でつかえることなく突起９０２５によって左右に振り分けられ、第２誘導路９０２３の開口より出たハリスを左右何れかのスリット９０２４上の端部までスライドさせることにより、ハリス止め具１００と同様の要領でハリスを掛止することができる。このとき、図１０に示されるように、ハリス掛止部９０２左右のスリット長Ｌ10は、ハリスの掛かり長さＤ（スリット９０２４の、第１誘導路９０２２の開口側の端部から第１誘導路９０２２までの距離）よりも有意に長く設計されており、ハリスをしっかりと挟み込んで外れにくい構造を実現している。
【実施例３】
【００４４】
図１１は、本発明の他の実施形態に係るハリス止め具の上面を説明する上面透視図である。ハリス止め具１１０は、胴体部１１１とハリス掛止部１１２とを有するが、挿入口を開口部とした第１誘導路１１２２が途中で屈曲してハリス掛止部１１２底部に貫通するように貫設されている点がハリス止め具１００と大きく異なる点である。そして、ハリス掛止部１１２底部の開口において、胴体部９０１から最も遠くなる位置から、幹糸等通し孔を通る平面に沿って、第１誘導路１１２２の開口部付近までスリット１１２４が設けられている。
【００４５】
図１２は、図１１に示した本発明の他の実施形態に係るハリス止め具のＣ−Ｃ線での断面を説明する断面図である。図１２において、ハリス止め具１１０の他の特徴は、ハリス掛止部１１２の先端面の開口から第１誘導路１１２２内へ進入した場合に、誘導路内の断面積が徐々に狭くなるようにスロープ１２１が設けられている点と、進入したハリスが容易に下方へ向かうように略円弧状に加工されたアール１２２が設けられている点である。
【００４６】
第１誘導路１１２２の開口部から進入したハリスは、進入路奥でつかえることなくアール１２２によって図１２中下方へと誘導され、第１誘導路１１２２の下方開口より出たハリスをスリット１１２４上の端部までスライドさせることにより、ハリス止め具１００と同様の要領でハリスを掛止することができる。このとき、図１２に示されるように、ハリス掛止部１１２下方のスリット長Ｌ12は、ハリスの掛かり長さＥ（スリット１１２４の、第１誘導路１１２２の開口側の端部から第１誘導路１１２２までの距離）よりも有意に長く設計されており、ハリスをしっかりと挟み込んで外れにくい構造を実現している。
さらに、スロープ１２１が最も高くなっている部分のハリス掛止部底部からの高さをＨ6とすると、このＨ6は、ハリスの掛かり長さＥよりも長くなるよう設計されており、このスロープ１２１があることにより、ハリスが挟持されつつ通過せざるを得ない面積を増やすことができ、掛止されたハリスがより外れにくい構造となっている。
【実施例４】
【００４７】
本発明に係るハリス止め具は、典型的には、金型による樹脂成型により製作されることは既に述べたが、かかる樹脂製のハリス止め具に様々な着色を付すこともできる。赤、青、緑などの着色をしたり、蛍光塗料を樹脂材料に混ぜ込んで蛍光着色したりすると魚が興味をもって寄ってくることが期待できる。
【００４８】
また、蛍光着色する場合において、本発明に係るハリス止め具は、ハリス掛止部にも金属を使用せずその全体が樹脂で出来ているため、より大きな体積を蛍光させることが可能となり、釣りにおいて仕掛けを蛍光ないし発光させることの作用効果を増大させることができる。
【００４９】
［組み合わせ］
本明細書（特許請求の範囲、要約、及び図面を含む）に記載された構成要件については、これらの特徴が相互に排他的である組合せを除き、任意の組合せで組み合わせることができる。
【００５０】
［特徴の一例］
本明細書（特許請求の範囲、要約、及び図面を含む）に記載された特徴の各々（例えば、貫通孔が上下に貫通するように設けられるか、或いは左右に貫通するように設けられるか等）は、明示的に否定されない限り、同一の目的、同等の目的、または類似する目的のために作用する代替の特徴に置換することができる。したがって、明示的に否定されない限り、開示された特徴の各々は、包括的な一連の同一又は均等となる特徴の一例にすぎない。
【符号の説明】
【００５１】
１００  ハリス止め具
１０１  胴体部
１０１１  幹糸等通し孔
１０２  ハリス掛止部
１０２１  挿入口
１０２２  第１誘導路
１０２３  第２誘導路
１０２４  スリット
９  幹糸
【図１】
2014068622.tif 000004
【図２】
2014068622.tif 000005
【図３】
2014068622.tif 000006
【図４】
2014068622.tif 000007
【図５】
2014068622.tif 000008
【図６】
2014068622.tif 000009
【図７】
2014068622.tif 000010
【図８】
2014068622.tif 000011
【図９】
2014068622.tif 000012
【図１０】
2014068622.tif 000013
【図１１】
2014068622.tif 000014
【図１２】
2014068622.tif 000015
【図１３】
2014068622.tif 000016
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
幹糸等を通すための通し孔を有する胴体部とハリスを掛止するための掛止部とを備えた釣用ハリス止め具であって、
前記掛止部には、前記ハリスの端部を挿入するための開口を備えた誘導路と、前記挿入された前記ハリスの端部が抜け出す開口とが設けられ、
前記ハリスの端部が抜け出す開口のうち、前記胴体部から最も遠い位置から前記ハリスの端部を挿入するための開口へ向かって、前記誘導路と連通するスリットが切り込まれ、
前記スリットの長さは、前記スリットの、前記ハリスの端部を挿入するための開口側の端部から前記誘導路までの距離（ハリスの掛かり長さ）よりも長くなるように構成されたことを特徴とするハリス止め具。
【請求項２】
幹糸等を通すための通し孔を有する胴体部と、前記胴体部の中央部より前記通し孔と略垂直に突設されたハリスを掛止するための掛止部とを備えた釣用ハリス止め具であって、
前記掛止部の先端面に設けられた前記ハリスの端部を挿入するための挿入口と、
前記挿入口と連通し、前記掛止部の上面開口を伴って設けられた第１誘導路と、
前記掛止部の前記胴体部との連接部分と前記第１誘導路との間に設けられた、前記掛止部を上下に貫通する第２誘導路と、
第２誘導路の内側面のうち、前記胴体部から最も遠くなる位置から前記通し孔を含む平面に沿って、前記挿入口と前記第１誘導路との連通面に達するまで設けられたスリットとを備え、
前記スリットの、第２誘導路の内側面のうち前記胴体部から最も遠くなる位置から前記挿入口と前記第１誘導路との連通面までの長さは、前記挿入口と前記第１誘導路との連通面に沿った前記スリット端部のハリスの掛かり長さよりも長くなるように構成された
ことを特徴とするハリス止め具。